(57)【特許請求の範囲】
【請求項１】
被写体を撮影して該被写体を表す画像を取得する撮像手段を備えた撮影手段と、
前記被写体を撮影する際に該被写体に補助光を照射する照射手段と、
該照射手段の動作を制御するフラッシュ制御部と、
前記撮影手段により取得した前記画像から顔の領域を検出する顔検出部と、
前記撮影手段により取得した前記画像に対し画像処理を施す画像処理手段と
を有し、
前記撮影手段が前記被写体のプレ撮影によりプレ画像を取得し、
前記フラッシュ制御部が前記プレ画像の明るさに基づいて前記照射手段を発光させるか否かを判定し、
前記フラッシュ制御部により前記照射手段を発光させると判定した場合に、前記照射手段が前記補助光をプレ発光し前記撮影手段が前記被写体からの該プレ発光の反射光を発光プレ画像として取得し、
前記顔検出部が前記発光プレ画像から顔の領域の検出を行い、
前記フラッシュ制御部が、前記発光プレ画像から前記顔の領域が検出されなかった場合には前記発光プレ画像に基づいて第１の発光量を本撮影時の発光量として決定し、前記顔領域が検出された場合には前記第１の発光量よりも小さい第２の発光量を本撮影時の発光量として決定し、
前記撮影手段が前記フラッシュ制御部において決定された前記発光量で前記照射手段を発光させた本撮影により本画像を取得し、
前記画像処理手段が、前記本画像における前記顔の領域の輝度の平均値が所定のしきい値未満であるとき、前記顔の領域の輝度の平均値が前記所定のしきい値になるように輝度および階調を調整するものであることを特徴とする撮影装置。
【請求項２】
前記画像処理手段が、前記顔の領域を含む前記本画像全体に対し輝度および階調の調整を行うものであることを特徴とする請求項１記載の撮影装置。
【請求項３】
被写体をプレ撮影して該被写体を表すプレ画像を取得し、
前記プレ画像の明るさに基づいて前記被写体に補助光を照射する照射手段を発光させるか否かを判定し、
前記照射手段を発光させると判定した場合に、前記照射手段から前記補助光がプレ発光され前記被写体からの該プレ発光の反射光を発光プレ画像として取得し、
前記発光プレ画像から顔の領域の検出を行い、
前記発光プレ画像から前記顔の領域が検出されなかったとき、前記発光プレ画像に基づいて第１の発光量を本撮影時の発光量として決定し、前記顔領域が検出されたとき、前記第１の発光量よりも小さい第２の発光量を本撮影時の発光量として決定し、
決定した前記発光量で前記照射手段を発光させた本撮影により本画像を取得し、
前記本画像における前記顔の領域の輝度の平均値が所定のしきい値未満であるとき、前記顔の領域の輝度の平均値が前記所定のしきい値になるように輝度および階調を調整する
ことを特徴とする撮影方法。
【請求項４】
前記本画像の輝度および階調の調整が、前記顔の領域を含む前記本画像全体に対し施されるものであることを特徴とする請求項３記載の撮影方法。
【請求項５】
コンピュータに、
被写体をプレ撮影して該被写体を表すプレ画像を取得する手順と、
前記プレ画像の明るさに基づいて前記被写体に補助光を照射する照射手段を発光させるか否かを判定する手順と、
前記照射手段を発光させると判定した場合に、前記照射手段から前記補助光がプレ発光され前記被写体からの該プレ発光の反射光を発光プレ画像として取得する手順と、
前記発光プレ画像から顔の領域の検出を行う手順と、
前記発光プレ画像から前記顔の領域が検出されなかったとき、前記発光プレ画像に基づいて第１の発光量を本撮影時の発光量として決定し、前記顔領域が検出されたとき、前記第１の発光量よりも小さい第２の発光量を本撮影時の発光量として決定する手順と、
決定した前記発光量で前記照射手段を発光させた本撮影により本画像を取得する手順と、
前記本画像における前記顔の領域の輝度の平均値が所定のしきい値未満であるとき、前記顔の領域の輝度の平均値が前記所定のしきい値になるように輝度および階調を調整する手順と
を実行させるためのプログラム。
【請求項６】
前記本画像の輝度および階調の調整が、前記顔の領域を含む前記本画像全体に対し施されるものであることを特徴とする請求項５記載のプログラム。
【発明の詳細な説明】
【技術分野】
【０００１】
本発明は、撮影により画像を取得するデジタルカメラ等の撮影装置および撮影方法並びに撮影方法をコンピュータに実行させるためのプログラムに関するものである。
【背景技術】
【０００２】
デジタルカメラによる撮影において、被写体が暗い画像から顔の輪郭が抽出された場合に、顔の大きさや目幅およびズームレンズ位置に基づいて被写体距離を算出し、適正露光範囲内の距離であった場合には、撮影前にフラッシュをプレ発光させ、プレ発光光の顔における反射光に基づいて、撮影時におけるフラッシュの発光量を調整する機能を備えたデジタルカメラが提案されている（特許文献１参照）。
【特許文献１】特開２００４−３２０２８４号公報
【発明の開示】
【発明が解決しようとする課題】
【０００３】
しかしながら、上記デジタルカメラにおいては、フラッシュの発光量の調整に失敗した場合には、顔が白くとんでしまう白とびが発生するおそれがある。このように画像に発生した白とびは、後の画像処理により補正することができないため、再度撮影をやり直す必要が生じる。
【０００４】
本発明は、上記事情に鑑みなされたものであり、デジタルカメラ等の撮影装置において、撮影により取得された画像の白とびを防止することを目的とする。
【課題を解決するための手段】
【０００５】
本発明による第１の撮影装置は、被写体を撮影して該被写体を表す画像を取得する、該被写体を撮像する撮像手段を備えた撮影手段と、
前記被写体を撮影する際に該被写体に補助光を照射する照射手段と、
前記撮影手段にプレ撮影を行わせることにより取得されたプレ画像から所定の対象物が検出された場合に、前記補助光の発光量を抑えて前記撮影手段による前記被写体の本撮影を行って本画像を取得する処理制御手段と、
該本画像における前記所定の対象物の領域の輝度および／または階調を調整する画像処理手段とを備えたことを特徴とするものである。
【０００６】
本発明による第２の撮影装置は、被写体を撮影して該被写体を表す画像を取得する、該被写体を撮像する撮像手段を備えた撮影手段と、
前記被写体を撮影する際に該被写体に補助光を照射する照射手段と、
前記撮影手段にプレ撮影を行わせることにより取得されたプレ画像から所定の対象物が検出された場合に、前記撮像手段のゲインを低くして前記撮影手段による前記被写体の本撮影を行って本画像を取得する処理制御手段と、
該本画像における前記所定の対象物の領域の輝度および／または階調を調整する画像処理手段とを備えたことを特徴とするものである。
【０００７】
「輝度を調整する」とは、補助光の発光量を抑えるまたは撮像手段のゲインを低くして撮影を行うことにより暗くなった、本画像に含まれる所定の対象物を明るくするよう画像全体または所定の被写体の部分の輝度を調整することを意味する。具体的には、所定の対象物の輝度の平均値が所定値となるように輝度を調整すればよい。
【０００８】
「階調を調整する」とは、補助光の発光量を抑えるまたは撮像手段のゲインを低くして撮影を行うことにより暗くなった、本画像に含まれる所定の対象物を明るくするよう画像全体または所定の被写体の部分の階調を調整することを意味する。具体的には、所定の対象物の輝度の平均値が所定値となるように階調を調整すればよい。
【０００９】
なお、本発明による第１および第２の撮影装置においては、前記所定の対象物が顔であることが好ましい。
【００１０】
本発明による第１の撮影方法は、被写体を撮影して該被写体を表す画像を取得する、該被写体を撮像する撮像手段を備えた撮影手段と、
前記被写体を撮影する際に該被写体に補助光を照射する照射手段とを備えた撮影装置における撮影方法において、
前記撮影手段にプレ撮影を行わせることにより取得されたプレ画像から所定の対象物を検出し、
前記プレ画像から所定の対象物が検出された場合に、前記補助光の発光量を抑えて前記撮影手段による前記被写体の本撮影を行って本画像を取得し、
該本画像における前記所定の対象物の領域の輝度および／または階調を調整することを特徴とするものである。
【００１１】
本発明による第２の撮影方法は、被写体を撮影して該被写体を表す画像を取得する、該被写体を撮像する撮像手段を備えた撮影手段と、
前記被写体を撮影する際に該被写体に補助光を照射する照射手段とを備えた撮影装置における撮影方法において、
前記撮影手段にプレ撮影を行わせることにより取得されたプレ画像から所定の対象物を検出し、
前記プレ画像から所定の対象物が検出された場合に、前記撮像手段のゲインを低くして前記撮影手段による前記被写体の本撮影を行って本画像を取得し、
該本画像における前記所定の対象物の領域の輝度および／または階調を調整することを特徴とするものである。
【００１２】
なお、本発明による第１および第２の撮影方法をコンピュータに実行させるためのプログラムとして提供してもよい。
【発明の効果】
【００１３】
本発明による第１の撮影装置および方法によれば、プレ画像から所定の対象物が検出された場合に、補助光の発光量を抑えて撮影手段による被写体の本撮影を行って本画像を取得し、本画像における所定の対象物の輝度および／または階調を調整するようにしたものである。このように補助光の発光量を抑えることにより、撮影により取得される本画像における所定の対象物の白とびを防止することができる。また、補助光の発光量を抑えることにより、本画像における所定の対象物が暗くなってしまうが、所定の対象物の領域の輝度および／または階調を調整することにより、所定の対象物が暗くなってしまうことを防止することができる。
【００１４】
本発明による第２の撮影装置および方法によれば、プレ画像から所定の対象物が検出された場合に、撮像手段のゲインを低くして被写体の本撮影を行って本画像を取得し、本画像における所定の対象物の輝度および／または階調を調整するようにしたものである。このように撮像手段のゲインを低くすることにより、撮影により取得される本画像における所定の対象物の白とびを防止することができる。また、撮像手段のゲインを低くすることにより、本画像における所定の対象物が暗くなってしまうが、所定の対象物の領域の輝度および／または階調を調整することにより、所定の対象物が暗くなってしまうことを防止することができる。
【発明を実施するための最良の形態】
【００１５】
以下、図面を参照して本発明の実施形態について説明する。図１は本発明の撮影装置の第１の実施形態であるデジタルカメラ１の背面を中心とする斜視図である。図１に示すように、このデジタルカメラ１の背面には、撮影者による操作のためのインターフェースとして、動作モードスイッチ１１、メニュー／ＯＫボタン１２、ズーム／上下矢印レバー１３、左右矢印ボタン１４、Ｂａｃｋ（戻る）ボタン１５、表示切替ボタン１６を有している他、ファインダ１７、液晶モニタ１８を有している。また、上面には、レリーズボタン１９を有している。図２は第１の実施形態によるデジタルカメラ１の前面を中心とする斜視図である。図２に示すように、前面には、レンズ２０、レンズカバー２１、電源スイッチ２２、ファインダ窓２３、フラッシュ２４、セルフタイマーランプ２５を有している。
【００１６】
動作モードスイッチ１１は、静止画撮影モード、動画撮影モード、および再生モードの各動作モードを切り替えるためのスライドスイッチである。
【００１７】
メニュー／ＯＫボタン１２は、押下することによって、撮影モード、フラッシュ発光モード、記録画素数や感度等の設定を行うための各種メニューを液晶モニタ１８に表示させたり、液晶モニタ１８に表示されたメニューに基づく選択・設定を確定させたりするためのボタンである。なお、メニュー／ＯＫボタン１２により、撮影モードを露出やホワイトバランスをすべて自動で設定するためのオートモード、およびマニュアルで設定するためのマニュアルモードに設定可能である。
【００１８】
ズーム／上下矢印レバー１３は、上下方向にレバーを倒すことによって、撮影時は望遠／広角の調整を行い、各種設定時は液晶モニタ１８に表示されるメニュー画面中のカーソルを上下に移動させるためのレバーである。
【００１９】
左右矢印ボタン１４は、各種設定時に液晶モニタ１８に表示されるメニュー画面中のカーソルを左右に移動させるためのボタンである。
【００２０】
Ｂａｃｋ（戻る）ボタン１５は、押下することによって各種設定操作を中止し、１つ前の画面に戻るためのボタンである。
【００２１】
表示切替ボタン１６は、押下することによって、液晶モニタ１８の表示のＯＮ／ＯＦＦ、各種ガイド表示、文字表示のＯＮ／ＯＦＦ等を切り替えるためのボタンである。
【００２２】
各ボタン、レバーの操作によって設定された内容は、液晶モニタ１８中の表示や、ファインダ内のランプ、スライドレバーの位置等によって確認することができるようになっている。
【００２３】
液晶モニタ１８は、撮影の際に被写体確認用のスルー画を表示することにより、電子ビューファインダとして機能する他、撮影後の静止画や動画の再生表示、各種設定メニューの表示を行う。
【００２４】
図３は本発明の撮影装置の第１の実施形態であるデジタルカメラの構成を示す概略ブロック図である。図３に示すデジタルカメラ１は、撮影により取得した画像データを、Ｅｘｉｆ形式の画像ファイルに変換して、本体に着脱可能な外部記録メディア７０へ記録するものである。
【００２５】
このデジタルカメラの操作系としては、前述の動作モードスイッチ１１、メニュー／ＯＫボタン１２、ズーム／上下矢印レバー１３、左右矢印ボタン１４、Ｂａｃｋ（戻る）ボタン１５、表示切替ボタン１６、レリーズボタン１９、電源スイッチ２２と、これらのスイッチ類の操作内容をＣＰＵ７５に伝えるためのインターフェース部分である操作系制御部７４とを有している。
【００２６】
光学系としては、フォーカスレンズ２０ａおよびズームレンズ２０ｂを有している。各々のレンズは、モータとモータドライバとからなるフォーカスレンズ駆動部５１およびズームレンズ駆動部５２によって光軸方向に移動可能である。フォーカスレンズ駆動部５１はＡＦ処理部６２から出力されるフォーカス駆動量データに基づいて、ズームレンズ駆動部５２はズーム／上下矢印レバー１３の操作量データに基づいて、各々のレンズの移動を制御する。
【００２７】
また、絞り５４は、モータとモータドライバとからなる絞り駆動部５５によって駆動される。この絞り駆動部５５は、ＡＥ／ＡＷＢ処理部６３から出力される絞り値データに基づいて絞り径の調整を行う。
【００２８】
シャッタ５６は、メカニカルシャッタであり、モータとモータドライバとからなるシャッタ駆動部５７によって駆動される。シャッタ駆動部５７は、レリーズボタン１９の押下により発生する信号と、ＡＥ／ＡＷＢ処理部６３から出力されるシャッタスピードデータとに応じて、シャッタ５６の開閉の制御を行う。
【００２９】
光学系の後方には、撮像素子であるＣＣＤ５８を有している。ＣＣＤ５８は、多数の受光素子を２次元的に配列した光電面を有しており、光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ５８は、ＣＣＤ制御部５９から供給される垂直転送クロックおよび水平転送クロックに同期して、画素毎に蓄積された電荷を１ラインずつシリアルなアナログ撮影信号として出力する。各画素において電荷を蓄積する時間、すなわち、露出時間は、ＣＣＤ制御部５９から与えられる電子シャッタ駆動信号によって決定される。また、ＣＣＤ５８はＣＣＤ制御部５９により、あらかじめ定められた大きさのアナログ撮像信号が得られるように、ゲインが調整されている。
【００３０】
ＣＣＤ５８から取り込まれたアナログ撮影信号は、アナログ信号処理部６０に入力される。アナログ信号処理部６０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００３１】
タイミングジェネレータ７２は、タイミング信号を発生させるものであり、このタイミング信号をシャッタ駆動部５７、ＣＣＤ制御部５９、アナログ信号処理部６０に供給することにより、レリーズボタン１９の操作、シャッタ５６の開閉、ＣＣＤ５８の電荷の取込み、およびアナログ信号処理部６０の処理の同期を取っている。
【００３２】
フラッシュ制御部７３は、撮影時にフラッシュ２４を発光させる。具体的には、フラッシュ発光モードがフラッシュオンとされている場合、およびフラッシュ発光モードがオートモードである場合において後述するプレ画像が所定の明るさにない場合にフラッシュ２４をオンとして、撮影時にフラッシュ２４を発光させる。一方、フラッシュ発光モードがフラッシュオフとされている場合、撮影時にフラッシュ２４の発光を禁止する。
【００３３】
また、フラッシュ制御部７３は、ＡＦ処理部６２が求めた焦点位置に基づいて、焦点位置が遠いほど発光量が大きくなるようにフラッシュ２４の発光量を決定する。この発光量を第１の発光量とする。なお、フラッシュ２４を発光させて撮影を行う場合において、プレ撮影により取得されたプレ画像に顔が含まれている場合には、フラッシュ２４の発光量を第１の発光量よりも小さい第２の発光量に決定する。ここで、発光量は顔に白とびが発生しない程度小さくすればよく、その程度は実験的に求めればよいものである。
【００３４】
画像入力コントローラ６１は、アナログ信号処理部６０から入力されたＣＣＤ−ＲＡＷデータをフレームメモリ６６に書き込む。
【００３５】
フレームメモリ６６は、画像データに対して後述の各種デジタル画像処理（信号処理）を行う際に使用する作業用メモリであり、例えば、一定周期のバスクロック信号に同期してデータ転送を行うＳＤＲＡＭ(Synchronous Dynamic Random Access Memory)が使用される。
【００３６】
表示制御部７１は、フレームメモリ６６に格納された画像データをスルー画像として液晶モニタ１８に表示させたり、再生モード時に外部記録メディア７０に保存されている画像データを液晶モニタ１８に表示させたりするためのものである。なお、スルー画像は、撮影モードが選択されている間、所定間隔でＣＣＤ５８により撮影される。
【００３７】
ＡＦ処理部６２およびＡＥ／ＡＷＢ処理部６３は、プレ画像に基づいて撮影条件を決定する。このプレ画像とは、レリーズボタン１９が半押しされることによって発生する半押し信号を検出したＣＰＵ７５がＣＣＤ５８にプレ撮影を実行させた結果、フレームメモリ６６に格納された画像データにより表される画像である。
【００３８】
ＡＦ処理部６２は、プレ画像に基づいて焦点位置を検出し、フォーカス駆動量データを出力する（ＡＦ処理）。焦点位置の検出方式としては、例えば、ピントが合った状態では画像のコントラストが高くなるという特徴を利用して合焦位置を検出するパッシブ方式が考えられる。
【００３９】
ＡＥ／ＡＷＢ処理部６３は、プレ画像に基づいて被写体輝度を測定し、測定した被写体輝度に基づいて絞り値、シャッタスピード等を決定し、絞り値データおよびシャッタスピードデータを露出設定値として決定するとともに（ＡＥ処理）、撮影時のホワイトバランスを自動調整する（ＡＷＢ）。なお、露出およびホワイトバランスについては、撮影モードがマニュアルモードに設定されている場合には、デジタルカメラ１のユーザがマニュアル操作により設定可能である。また、露出およびホワイトバランスが自動で設定された場合にも、ユーザがメニュー／ＯＫボタン１２等の操作系から指示を行うことにより、露出およびホワイトバランスをマニュアル調整することが可能である。
【００４０】
画像処理部６４は、本画像の画像データに対して、ガンマ補正、シャープネス補正、コントラスト補正等の画質補正処理、ＣＣＤ−ＲＡＷデータを輝度信号であるＹデータと、青色色差信号であるＣｂデータおよび赤色色差信号であるＣｒデータとからなるＹＣデータに変換するＹＣ処理を行う。この本画像とは、レリーズボタン１９が全押しされることによって実行される本撮影においてＣＣＤ５８から取り込まれ、アナログ信号処理部６０、画像入力コントローラ６１経由でフレームメモリ６６に格納された画像データによる画像である。本画像の画素数の上限は、ＣＣＤ５８の画素数によって決定されるが、例えば、ファイン、ノーマル等の設定により、記録画素数を変更することができる。一方、スルー画像およびプレ画像の画像数は、本画像よりも少なく、例えば、本画像の１／１６程度の画素数で取り込まれる。
【００４１】
また、画像処理部６４は、フラッシュ２４の発光量が通常の撮影時よりも小さくされた場合には、本画像における顔領域の輝度を求め、輝度が所定のしきい値Ｔｈ１よりも小さい場合には顔領域の輝度をしきい値Ｔｈ１に調整する処理を行う。
【００４２】
圧縮／伸長処理部６５は、画像処理部６４によって補正・変換処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。また、圧縮／伸長処理部６５は、再生モードの場合には、外部記録メディア７０から圧縮された画像ファイルを読み出し、伸張処理を行う。伸長後の画像データは液晶モニタ１８に出力される。
【００４３】
メディア制御部６７は、外部記録メディア７０にアクセスして画像ファイルの書き込みと読み込みの制御を行う。
【００４４】
内部メモリ６８は、デジタルカメラ１において設定される各種定数、およびＣＰＵ７５が実行するプログラム等を格納する。
【００４５】
顔検出部８０は、プレ画像および本画像から人物の顔を検出する。具体的には、顔に含まれる顔の特徴を有する領域（例えば肌色を有する、目を有する、顔の形状を有する等）を顔領域として検出するが、これに限定されるものではない。
【００４６】
ＣＰＵ７５は、動作モードスイッチ１１等の操作系やＡＦ処理部６２等の各種処理部からの信号に応じてデジタルカメラ１の本体各部を制御する。
【００４７】
データバス７６は、画像入力コントローラ６１、各種処理部６２〜６５、フレームメモリ６６、メディア制御部６７、内部メモリ６８、表示制御部７１、顔検出部８０、およびＣＰＵ７５に接続されており、デジタル画像データ等のやり取りを行う。
【００４８】
次いで、以上の構成のデジタルカメラ１において撮影時に行われる処理について説明する。図４は第１の実施形態において行われる処理を示すフローチャートである。
【００４９】
まず、ＣＰＵ７５がデジタルカメラ１の動作モードを判定し（ステップＳＴ１）、再生モードである場合には、外部記録メディア７０に記録されている画像データを液晶モニタ１８に表示する再生処理を行い（ステップＳＴ２）、後述するステップＳＴ１３へ進む。
【００５０】
動作モードが撮影モードである場合には、液晶モニタ１８にスルー画像を表示し（ステップＳＴ３）、さらに、レリーズボタン１９が半押しされたか否かの監視を開始する（ステップＳＴ４）。ステップＳＴ４が肯定されると、プレ撮影を行ってプレ画像を取得し（ステップＳＴ５）、ＡＥ／ＡＷＢ処理部６３およびＡＦ処理部６２がプレ画像に基づいてＡＥ／ＡＷＢおよびＡＦ処理をそれぞれ行い（ステップＳＴ６）、続いて、フラッシュ制御部７３が撮影条件決定処理を行う（ステップＳＴ７）。
【００５１】
図５は撮影条件決定処理のフローチャートである。まず、フラッシュ制御部７３が、フラッシュ発光モードを判定する（ステップＳＴ２１）。フラッシュ発光モードがフラッシュオフである場合には、フラッシュ２４の発光をオフとし（ステップＳＴ２２）、リターンする。フラッシュ発光モードがオートモードである場合には、プレ画像が所定の明るさにあるか否かを判定し（ステップＳＴ２３）、ステップＳＴ２３が肯定されるとステップＳＴ２２に進み、フラッシュ２４の発光をオフとする。ステップＳＴ２４が否定されるとフラッシュ２４の発光をオンとし（ステップＳＴ２４）、さらにフラッシュ発光量決定処理を行い（ステップＳＴ２５）、リターンする。また、フラッシュ発光モードがフラッシュオンである場合には、ステップＳＴ２４に進んでフラッシュ２４の発光をオンとし、さらにフラッシュ発光量決定処理を行い（ステップＳＴ２５）、リターンする。
【００５２】
図６はフラッシュ発光量決定処理のフローチャートである。まず、顔検出部８０がプレ画像から顔を検出し（ステップＳＴ３１）、さらにフラッシュ制御部７３がフラッシュ２４をプレ発光させる（ステップＳＴ３２）。続いて、顔検出部８０が、プレ画像に顔が含まれるか否かを判定する（ステップＳＴ３３）。ステップＳＴ３３が否定されると、フラッシュ制御部７３が、プレ発光光の被写体における反射光に基づいてフラッシュ２４の発光量を決定し（ステップＳＴ３４）、リターンする。なお、この発光量を第１の発光量とする。
【００５３】
一方、ステップＳＴ３３が肯定されると、第１の発光量よりも小さい第２の発光量にフラッシュ２４の発光量を決定し（ステップＳＴ３５）、リターンする。ここで、第１の実施形態においては、焦点位置と第１および第２の発光量との関係を規定したテーブルが内部メモリ６８に格納されており、このテーブルを参照して第１および第２の発光量を決定する。
【００５４】
図４に戻り、ステップＳＴ７に続いて、ＣＰＵ７５はレリーズボタン１９の半押しが解除されたか否かを判定し（ステップＳＴ８）、ステップＳＴ８が肯定されるとステップＳＴ３に戻り、ステップＳＴ３以降の処理を繰り返す。ステップＳＴ８が否定されると、さらにレリーズボタン１９が全押しされたか否かを判定し（ステップＳＴ９）、ステップＳＴ９が否定されるとステップＳＴ８に戻る。
【００５５】
ステップＳＴ９が肯定されると、本画像の撮影（本撮影）を行い（ステップＳＴ１０）、本撮影により取得された本画像に対して画像処理を行う（ステップＳＴ１１）。
【００５６】
図７は本画像の画像処理のフローチャートである。顔検出部８０が本画像から人物の顔を検出し（ステップＳＴ４１）、本画像に顔が含まれるか否かを判定する（ステップＳＴ４２）。ステップＳＴ４２が肯定されると、画像処理部６４が本画像の顔領域の輝度の平均値が所定のしきい値Ｔｈ１未満であるか否かを判定する（ステップＳＴ４３）。ステップＳＴ４３が肯定されると、本画像の顔領域の輝度の平均値がしきい値Ｔｈ１となるように、顔領域に対応する画像データのゲインを調整する（ステップＳＴ４４）。さらに、顔領域のゲインを調整した本画像に対して、画質補正処理およびＹＣ処理を施し（ステップＳＴ４５）、リターンする。
【００５７】
ここで、ステップＳＴ４４の処理においては、顔領域に対応する画像データのゲインを調整するのに代えて、本画像の顔領域の輝度の平均値がしきい値Ｔｈ１となるように、画像全体または顔領域の階調を調整するようにしてもよい。また、顔領域に対応する画像データのゲインを調整するとともに、画像全体または顔領域の階調を調整するようにしてもよい。
【００５８】
なお、ステップＳＴ４２が否定された場合、およびステップＳＴ４３が否定された場合はステップＳＴ４５に進み、本画像に対して、画質補正処理およびＹＣ処理のみを施し、リターンする。
【００５９】
図４に戻り、ステップＳＴ１１に続いて、処理済みの本画像を液晶モニタ１８に表示するとともに、外部記録メディア７０に記録する（ステップＳＴ１２）。そして、電源がオフとされたか否かを判定し（ステップＳＴ１３）、ステップＳＴ１３が否定されるとステップＳＴ１に戻り、ステップＳＴ１以降の処理を繰り返す。ステップＳＴ１３が肯定されると、処理を終了する。
【００６０】
このように、第１の実施形態においては、プレ画像から顔が検出された場合には、フラッシュ２４の発光量を小さくして本画像の撮影を行い、さらに本画像に含まれる顔の輝度の平均値を所定のしきい値Ｔｈ１に調整するようにしたものである。このようにフラッシュ２４の発光量を小さくすることにより、本画像に含まれる顔の白とびを防止することができる。また、フラッシュ２４の発光量を小さくすることにより本画像に含まれる顔が暗くなってしまうが、顔の輝度および／または階調を調整することにより、本画像に含まれる顔が暗くなってしまうことも防止することができる。
【００６１】
次いで、本発明の第２の実施形態について説明する。なお、第２の実施形態においては、デジタルカメラ１の構成は第１の実施形態と同様であるため、ここでは詳細な説明は省略する。上記第１の実施形態においては、プレ画像に顔が含まれる場合にフラッシュ２４の発光量を小さくしているが、第２の実施形態においては、プレ画像に顔が含まれる場合にＣＣＤ制御部５９がＣＣＤ５８のゲインを小さくするようにしたものである。
【００６２】
このため、第２の実施形態においては、フラッシュ２４を発光させて撮影を行う場合において、プレ撮影により取得されたプレ画像に顔が含まれている場合には、ＣＣＤ制御部５９がＣＣＤ５８のゲインを通常の撮影時のゲイン（第１のゲインとする）によりも小さい第２のゲインに決定する。ここで、通常の撮影とは、フラッシュの使用の有無にかかわらず、被写体として顔を含まない撮影である。また、ゲインは顔に白とびが発生しない程度小さくすればよく、その程度は実験的に求めればよいものである。
【００６３】
なお、第２の実施形態においては、第１および第２のゲインが内部メモリ６８に格納されており、プレ画像に顔が含まれるか否かに応じて第１または第２のゲインを読み出してＣＣＤ５８のゲインを決定するものである。
【００６４】
ここで、第２の実施形態においては、第１の実施形態における撮影条件決定処理のフラッシュ発光量決定処理がＣＣＤゲイン決定処理である点において第１の実施形態と異なるのみであり、他の処理については第１の実施形態の処理と同一であるため、ここでは、ＣＣＤゲイン決定処理についてのみ説明する。
【００６５】
図８はＣＣＤゲイン決定処理のフローチャートである。まず、顔検出部８０がプレ画像から顔領域を検出し（ステップＳＴ５１）、プレ画像に顔が含まれるか否かを判定する（ステップＳＴ５２）。ステップＳＴ５２が否定されると、ＣＣＤ制御部５９がＣＣＤ５８のゲインを第１のゲインに決定し（ステップＳＴ５３）、リターンする。
【００６６】
一方、ステップＳＴ５２が肯定されると、ＣＣＤ制御部５９がＣＣＤのゲインを第１のゲインよりも小さい第２のゲインに決定し（ステップＳＴ５４）、リターンする。
【００６７】
このように、第２の実施形態においては、プレ画像に顔が検出された場合には、ＣＣＤ５８のゲインを小さくして本画像の撮影を行い、さらに本画像に含まれる顔の輝度を調整するようにしたものである。このようにＣＣＤ５８のゲインを小さくすることにより、本画像に含まれる顔の白とびを防止することができる。また、ＣＣＤ５８のゲインを小さくすることにより、本画像に含まれる顔が暗くなってしまうが、顔の輝度を調整することにより、本画像に含まれる顔が暗くなってしまうことも防止することができる。
【００６８】
なお、上記実施形態においては、所定の被写体を顔としているが、これに限定されるものではなく、顔以外の他の被写体でもよいものである。
【００６９】
以上、本発明の実施形態に係るデジタルカメラについて説明したが、コンピュータを、上記の画像処理部６４、フラッシュ制御部７３、ＣＣＤ制御部５９および顔検出部８０に対応する手段として機能させ、図４〜図８に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００７０】
【図１】本発明の撮影装置の第１の実施形態であるデジタルカメラの背面を中心とする斜視図
【図２】本発明の撮影装置の第１の実施形態であるデジタルカメラの前面を中心とする斜視図
【図３】本発明の撮影装置の第１の実施形態であるデジタルカメラの構成を示す概略ブロック図
【図４】第１の実施形態において行われる処理を示すフローチャート
【図５】撮影条件決定処理のフローチャート
【図６】フラッシュ発光量決定処理のフローチャート
【図７】本画像の画像処理のフローチャート
【図８】第２の実施形態において行われるＣＣＤゲイン決定処理のフローチャート
【符号の説明】
【００７１】
１  デジタルカメラ
１８    液晶モニタ
２４    フラッシュ
５８    ＣＣＤ
５９    ＣＣＤ制御部
７１    表示制御部
７３    フラッシュ制御部
７５    ＣＰＵ
８０    顔検出部
【図１】
0004510768.tif 000002
【図２】
0004510768.tif 000003
【図３】
0004510768.tif 000004
【図４】
0004510768.tif 000005
【図５】
0004510768.tif 000006
【図６】
0004510768.tif 000007
【図７】
0004510768.tif 000008
【図８】
0004510768.tif 000009